(57)【特許請求の範囲】
【請求項１】
容器の口部に取付けられると共にポンプを有する噴出器本体部と、前記容器の正立姿勢および倒立姿勢のいずれにおいても前記容器内の内容液を前記噴出器本体部に供給可能とする正倒立両用ユニットと、前記噴出器本体部に揺動可能に支持され、前記ポンプを駆動可能な操作レバーと、を備え、前記噴出器本体部は、前記操作レバーの牽曳に伴う前記ポンプの駆動により、前記正倒立両用ユニットからの内容液を吸引、加圧、圧送し、該噴出器本体部に取付けられたノズルから噴出させるトリガー式液体噴出器において、
前記正倒立両用ユニットは、前記噴出器本体部に取付けられるジョイント部材と、該ジョイント部材に取付けられて、前記容器内に垂下する吸い上げパイプを保持するパイプ保持部材と、弁体と、を有し、
前記ジョイント部材は、前記弁体によって上方から閉塞可能な貫通孔と、該貫通孔の上方で前記弁体を上下動可能かつ抜け止め可能に収容する弁体保持壁部と、該弁体保持壁部に形成された開放部と、を有し、
前記正倒立両用ユニットは、前記倒立姿勢では、前記容器内の内容液を、前記開放部、前記貫通孔、前記ジョイント部材と前記パイプ保持部材の間に区画された流路の順に通過させて、前記噴出器本体部へ供給可能とする一方、前記正立姿勢では、前記弁体によって前記貫通孔が閉塞されて、前記吸い上げパイプから前記噴出器本体部への内容液の供給を可能とし、
前記開放部を通じた前記弁体の挿入により、前記弁体が前記弁体保持壁部に収容され、
前記ジョイント部材は、前記パイプ保持部材のパイプ保持筒部の中心軸線に関して前記ポンプと対向する位置において、円周方向に間隙を有して設けられ前記中心軸線方向に延びる複数のリブを備え、前記ポンプに形成された外気導入口から導入された空気が該複数のリブの間の間隙を通じて容器内に導入されることを特徴とするトリガー式液体噴出器。
【請求項２】
前記弁体保持壁部は、互いに間隔を空けて対向する一対の湾曲板部を有する、請求項１に記載のトリガー式液体噴出器。
【請求項３】
前記ジョイント部材は、前記噴出器本体部に挿入されると共に内部に内容液の流路を区画する挿入筒部を有し、
前記弁体保持壁部は、前記挿入筒部の外周面の一部と、前記一対の湾曲板部とによって構成される、請求項２に記載のトリガー式液体噴出器。
【請求項４】
前記弁体保持壁部は、横倒し姿勢において、前記弁体との当接面に該弁体を前記貫通孔に対して所定の空隙を有して位置決めするための凹部を有する、請求項２又は３に記載のトリガー式液体噴出器。
【請求項５】
前記一対の湾曲板部は該湾曲板部の上端縁において、内側に向かって湾曲させた狭窄部を有する、請求項２乃至４の何れか一項に記載のトリガー式液体噴出器。
【請求項６】
前記狭窄部はドーム型形状を有する、請求項５に記載のトリガー式液体噴出器。
【発明の詳細な説明】
【技術分野】
【０００１】
本発明は、容器の口部に取付けられると共にポンプを有する噴出器本体部と、容器の正立姿勢および倒立姿勢のいずれにおいても内容液を噴出器本体部に供給可能とする正倒立両用ユニットと、を備えるトリガー式液体噴出器に関するものであり、特に、正倒立両用ユニットの部品点数を削減すると共に、その組み立てを容易化しようとするものである。
【背景技術】
【０００２】
黴取り剤や洗剤、衣料用糊剤、住居用ワックス、整髪剤、芳香剤、忌避剤、農薬、薬品等の内容液を入れた容器においては、容器の口部に取付けられ、操作レバーを牽曳することによって噴出器本体部に設けたポンプを駆動して容器内の液体を直線状、霧状あるいは泡状にして噴射させるトリガー式液体噴出器が多用されており、これにより内容液の効率的な供給を可能にしている。また、このような噴出器として、容器の正立姿勢および倒立姿勢のいずれにおいても内容液を噴出器本体部に供給可能とする正倒立両用ユニットを備えるものが知られている。
【０００３】
かかる噴出器として、例えば特許文献１に記載されるようなものでは、正倒立両用ユニットは、噴出器本体部に取付けられるジョイント部材と、該ジョイント部材に取付けられて、容器内に垂下する吸い上げパイプ（特許文献１では、チューブ部材とアタッチメント部材とで構成している）を保持するパイプ保持部材と、ジョイント部材とパイプ保持部材の間に挟み込まれて保持される中間部材と、該中間部材に形成された貫通孔を上方から閉塞可能な弁体と、によって構成されている。ジョイント部材と中間部材の間には、弁体を前記貫通孔の上方で上下動可能に収容する弁体収容室が形成されている。また、ジョイント部材には、容器を倒立させたとき、容器内の内容液を弁体収容室内に導くための開口が形成されている。
【０００４】
そして、正倒立両用ユニットは、容器の倒立姿勢では、容器内の内容液を、前記開口、弁体収容室、前記貫通孔、中間部材とパイプ保持部材の間に区画された流路の順に通過させて、噴出器本体部へ供給可能とする一方、容器の正立姿勢では、弁体によって貫通孔が閉塞されて、吸い上げパイプから噴出器本体部への内容液の供給を可能としている。
【先行技術文献】
【特許文献】
【０００５】
【特許文献１】特開２００５−３４７１４号公報
【発明の概要】
【発明が解決しようとする課題】
【０００６】
しかしながら、特許文献１に記載されるようなトリガー式液体噴出器では、正倒立両用ユニットが、ジョイント部材、パイプ保持部材、中間部材および弁体の４部材から構成されており、さらなる部品点数の削減が望まれていた。また、このような正倒立両用ユニットの組み立てに際しては、ジョイント部材と中間部材の間に弁体を挿入してから、ジョイント部材にパイプ保持部材を取り付けるまでの間に、中間部材がジョイント部材から外れ、弁体を落下させてしまうおそれがあり、組み立ての容易化も望まれていた。
【０００７】
本発明は、前記の現状に鑑み開発されたもので、正倒立両用ユニットの部品点数を削減すると共に、その組み立てを容易化することができるトリガー式液体噴出器を提供することを目的とする。
【課題を解決するための手段】
【０００８】
すなわち、本発明の要旨構成は以下のとおりである。
１．容器の口部に取付けられると共にポンプを有する噴出器本体部と、前記容器の正立姿勢および倒立姿勢のいずれにおいても前記容器内の内容液を前記噴出器本体部に供給可能とする正倒立両用ユニットと、前記噴出器本体部に揺動可能に支持され、前記ポンプを駆動可能な操作レバーと、を備え、前記噴出器本体部は、前記操作レバーの牽曳に伴う前記ポンプの駆動により、前記正倒立両用ユニットからの内容液を吸引、加圧、圧送し、該噴出器本体部に取付けられたノズルから噴出させるトリガー式液体噴出器において、
前記正倒立両用ユニットは、前記噴出器本体部に取付けられるジョイント部材と、該ジョイント部材に取付けられて、前記容器内に垂下する吸い上げパイプを保持するパイプ保持部材と、弁体と、を有し、
前記ジョイント部材は、前記弁体によって上方から閉塞可能な貫通孔と、該貫通孔の上方で前記弁体を上下動可能かつ抜け止め可能に収容する弁体保持壁部と、該弁体保持壁部に形成された開放部と、を有し、
前記正倒立両用ユニットは、前記倒立姿勢では、前記容器内の内容液を、前記開放部、前記貫通孔、前記ジョイント部材と前記パイプ保持部材の間に区画された流路の順に通過させて、前記噴出器本体部へ供給可能とする一方、前記正立姿勢では、前記弁体によって前記貫通孔が閉塞されて、前記吸い上げパイプから前記噴出器本体部への内容液の供給を可能とし、
前記開放部を通じた前記弁体の挿入により、前記弁体が前記弁体保持壁部に収容され、
前記ジョイント部材は、前記パイプ保持部材のパイプ保持筒部の中心軸線に関して前記ポンプと対向する位置において、円周方向に間隙を有して設けられ前記中心軸線方向に延びる複数のリブを備え、前記ポンプに形成された外気導入口から導入された空気が該複数のリブの間の間隙を通じて容器内に導入されることを特徴とするトリガー式液体噴出器。
【０００９】
２．前記弁体保持壁部は、互いに間隔を空けて対向する一対の湾曲板部を有する、前記１のトリガー式液体噴出器。
【００１０】
３．前記ジョイント部材は、前記噴出器本体部に挿入されると共に内部に内容液の流路を区画する挿入筒部を有し、
前記弁体保持壁部は、前記挿入筒部の外周面の一部と、前記一対の湾曲板部とによって構成される、前記２のトリガー式液体噴出器。
【００１１】
４．前記弁体保持壁部は、横倒し姿勢において、前記弁体との当接面に該弁体を前記貫通孔に対して所定の空隙を有して位置決めするための凹部を有する、前記２又は３のトリガー式液体噴出器。
【００１２】
５．前記一対の湾曲板部は該湾曲板部上端縁において、内側に向かって湾曲させた狭窄部を有する、前記２乃至４の何れかに記載のトリガー式液体噴出器。
【００１３】
６．前記狭窄部はドーム型形状を有する、前記５のトリガー式液体噴出器。
【発明の効果】
【００１５】
本発明によれば、ジョイント部材は、弁体によって上方から閉塞可能な貫通孔と、該貫通孔の上方で弁体を上下動可能かつ抜け止め可能に収容する弁体保持壁部と、該弁体保持壁部に形成された開放部とを有し、正倒立両用ユニットは、容器の倒立姿勢では、容器内の内容液を、前記開放部、前記貫通孔、ジョイント部材とパイプ保持部材の間に区画された流路の順に通過させて、噴出器本体部へ供給可能とする一方、容器の正立姿勢では、弁体によって貫通孔が閉塞されて、吸い上げパイプから噴出器本体部への内容液の供給を可能とし、前記開放部を通じた弁体の挿入により、弁体が弁体保持壁部に収容されるように構成したので、正倒立両用ユニットをジョイント部材、パイプ保持部材および弁体の３部材で構成することができる。したがって、従来必要とされた中間部材を省略することができるため、部品点数を削減することができる。また、本発明によれば、正倒立両用ユニットの組み立てに際しては、前記開放部を通じた弁体の挿入により、弁体を弁体保持壁部に抜け止め可能に収容させることができるため、その後の弁体の脱落を防止することができ、組み立てを容易化することができる。
【００１６】
したがって、本発明によれば、正倒立両用ユニットの部品点数を削減すると共に、その組み立てを容易化することができるトリガー式液体噴出器を提供することができる。
【図面の簡単な説明】
【００１７】
【図１】本発明の第１実施形態に係るトリガー式液体噴出器を容器の口部に取付けた状態を示す、側面視での断面図である。
【図２】図１の一部拡大図を、シリンダー部材の区画筒の正面図と共に示す。
【図３】図１に示すトリガー式液体噴出器の正倒立両用ユニットの一部を構成するジョイント部材を示す図であり、（ａ）は側面視での断面図、（ｂ）は正面図、（ｃ）は平面図である。
【図４】図１に示すトリガー式液体噴出器の正倒立両用ユニットの一部を構成するパイプ保持部材を示す図であり、（ａ）は側面図、（ｂ）は側面視での断面図、（ｃ）は平面図、（ｄ）は底面図である。
【図５】本発明の第２実施形態に係るトリガー式液体噴出器を容器の口部に取付けた状態を示す、側面視での断面図である。
【図６】図５に示すトリガー式液体噴出器の正倒立両用ユニットの一部を構成するジョイント部材を示す図であり、（ａ）は側面視での断面図、（ｂ）は正面図、（ｃ）は平面図、（ｄ）は底面図である。
【図７】本発明の第２実施形態に係るトリガー式液体噴出器の一部を構成するジョイント部材及びパイプ保持部材の、（ａ）正立姿勢、（ｂ）横倒し姿勢、（ｃ）斜め下向き姿勢における断面図である。
【発明を実施するための形態】
【００１８】
以下、図面を参照して、本発明をより具体的に例示説明する。なお、本明細書、特許請求の範囲、要約書および図面では、後述するカバー８０の頂壁が位置する側を上方（図１における上側）とし、装着キャップ２０が設けられる側を下方（図１における下側）とする。また、ノズル７０が設けられる側を前方（図１における左側）とし、その反対側を後方（図１における右側）とする。また、上下方向および前後方向に対して直交する方向（図１における紙面に垂直な方向）を側方とする。
【００１９】
図１に示すように、本発明の第１実施形態に係るトリガー式液体噴出器１は、容器Ｃの口部に取り付けられる装着キャップ２０と、装着キャップ２０を回転自在且つ抜け出し不能に保持する噴出器本体部３０と、容器Ｃの正立姿勢および倒立姿勢のいずれにおいても容器Ｃ内の内容液を噴出器本体部３０に供給可能とする正倒立両用ユニット４０と、容器Ｃ内に垂下する吸い上げパイプ５０と、噴出器本体部３０に揺動可能に支持され、噴出器本体部３０が有するポンプ３１を駆動可能な操作レバー（トリガー）６０と、噴出器本体部３０の前部に取付けられ、内容液を外界に向けて噴出させるノズル７０と、噴出器本体部３０の上方および側方を覆うカバー８０とを備えている。
【００２０】
装着キャップ２０は、円筒状となる側壁２１の内面に、容器Ｃの口部に設けたねじ部に適合するねじ部２１ａを有している。また、側壁２１の上方には、中央部に上部開口２２を区画する天壁２３が設けられている。
【００２１】
本実施形態において噴出器本体部３０は、複数の部材から構成されていて、装着キャップ２０は、その一つをなすボディ３２に取り付けられる。ボディ３２は、装着キャップ２０の上部開口２２に挿通される円筒状の連結筒部３２ａを有し、連結筒部３２ａの外周面には、径方向外側に延在するフランジ３２ｂが設けられている。フランジ３２ｂの下方には、容器Ｃの口部上端とフランジ３２ｂとで挟持されるパッキンが設けられている。また連結筒部３２ａの上方には、連結筒部３２ａよりも小径となる縦筒３２ｃが設けられていて、縦筒３２ｃの上方には、前方に向けて延在し、縦筒３２ｃに連通する横筒３２ｄが設けられ、横筒３２ｄの前端部にノズル７０が設けられている。横筒３２ｄの下方には、縦筒３２ｃから前方に向けて突出する円筒状の嵌合壁３２ｅが設けられている。
【００２２】
また、縦筒３２ｃの内側には、インテイク３３の筒部３３ａが配置されている。さらに、インテイク３３の筒部３３ａの内側には、ポンプ３１によって吸引された内容液の逆流を防止する第１逆止弁３３ｂ及び第２逆止弁３３ｃが設けられている。第１逆止弁３３ｂは、ポンプ３１により内容液を吸引する際には開状態となり、吸引した内容液を加圧、圧送するときは閉状態となる。一方、第２逆止弁３３ｃは、ポンプ３１により内容液を吸引する際には閉状態となり、吸引した内容液をノズル７０に向けて加圧、圧送するときは開状態となる。
【００２３】
また、ボディ３２の嵌合壁３２ｅの内側には、シリンダー部材３４が設けられている。シリンダー部材３４は、嵌合壁３２ｅに嵌合保持される円筒状のシリンダー筒３４ａと、シリンダー筒３４ａの径方向内側に設けられる円筒状の区画筒３４ｂとを同心二重配置で設けたものであり、シリンダー筒３４ａと区画筒３４ｂとの後方側は、奥壁３４ｃでつながっている。
【００２４】
奥壁３４ｃには、縦筒３２ｃに設けた孔に入り込むと共に、インテイク３３の孔３３ｄに連通する孔３４ｄが設けられている。更に、シリンダー筒３４ａには、シリンダー筒３４ａの内外を連通させると共に、嵌合壁３２ｅとシリンダー筒３４ａとの間に形成される隙間を介して嵌合壁３２ｅの孔３２ｆに連通する外気導入口３４ｅが側面側に設けられている。
【００２５】
シリンダー部材３４の内側には、シリンダー部材３４の内側を封止してシリンダー室Ｒを形成するピストン３５が配置されている。ピストン３５は、シリンダー筒３４ａの内周面に摺動可能に当接する環状の摺動部３５ａを有していて、摺動部３５ａには、前方に向けて延在するとともに前方側の端部を閉塞した周壁部３５ｂが設けられている。なお、摺動部３５ａは、操作レバー６０が牽曳されていない状態において、シリンダー部材３４の前記した外気導入口３４ｅを塞ぐ。
【００２６】
噴出器本体部３０には枢軸６１により回動自在に操作レバー６０が装着され、この操作レバー６０はピン部材６２によりピストン３５の先端に回動自在に連結されている。また、操作レバー６０には、一端が噴出器本体部３０に固定保持された湾曲形状の板ばね６３の先端が係止され、この板ばね６３により、操作レバー６０はポンプ３１から離れる方向（図１中においては枢軸６１を中心とした時計回り方向）に付勢されている。
【００２７】
本実施形態では、ポンプ３１は、シリンダー部材３４とピストン３５とで構成されているが、このような構成に限らず、操作レバー６０の牽曳に伴うポンプ３１の駆動により、正倒立両用ユニット４０からの内容液を吸引、加圧、圧送し、ノズル７０から噴出させることができるものであれば、種々の構成ないし構造のものを用いることができる。
【００２８】
図２に示すように、吸い上げパイプ５０とインテイク３３の間には、正倒立両用ユニット４０が取付けられている。この正倒立両用ユニット４０は、噴出器本体部３０に取付けられるジョイント部材４１と、該ジョイント部材４１に取付けられて、容器Ｃ内に垂下する吸い上げパイプ５０を保持するパイプ保持部材４２と、球状の弁体４３と、を有している。
【００２９】
ジョイント部材４１は、図２および図３に示すように、噴出器本体部３０のインテイク３３の筒部３３ａに挿入されると共に内部に内容液の流路を区画する挿入筒部４１ａと、該挿入筒部４１ａの下端から径方向外側に延びる天壁部４１ｂと、該天壁部４１ｂの外周縁から垂下する取付け壁部４１ｃと、挿入筒部４１ａの径方向外側において天壁部４１ｂから立ち上がる補助筒部４１ｄと、を有している。天壁部４１ｂには、弁体４３によって上方から閉塞可能な貫通孔４１ｅが形成されている。
【００３０】
また、ジョイント部材４１は、貫通孔４１ｅの上方で弁体４３を上下動可能かつ抜け止め可能に収容する弁体保持壁部４１ｆと、該弁体保持壁部４１ｆに形成された開放部４１ｇと、を有している。弁体保持壁部４１ｆは、挿入筒部４１ａの外周面の一部４１ａ1と、天壁部４１ｂから立ち上がり、互いに間隔を空けて対向する一対の湾曲板部４１ｈとによって構成されている。
【００３１】
開放部４１ｇは、本実施形態では、一対の湾曲板部４１ｈの前端縁４１ｈ1の相互間と、一対の湾曲板部４１ｈの上端縁４１ｈ2の相互間と、一対の湾曲板部４１ｈの後端縁４１ｈ3のそれぞれと挿入筒部４１ａの相互間と、に形成されている。また、一対の湾曲板部４１ｈの上端縁４１ｈ2は、一対の湾曲板部４１ｈ相互間の間隔を上方に向って狭めるように湾曲させた狭窄部４１ｊとして形成されている。そして、この狭窄部４１ｊに弁体４３を上方から押付けることで、一対の湾曲板部４１ｈの上端縁４１ｈ2の相互間における開放部４１ｇを通じて弁体４３を挿入し、弁体４３を弁体保持壁部４１ｆに収容させられるようになっている。ここで、弁体４３は自重による移動がスムーズとなるように金属製とし、ジョイント部材４１は合成樹脂製とすることで、一対の湾曲板部４１ｈの上端縁４１ｈ2の弾性変形により弁体４３の挿入を可能とすることが好ましい。
【００３２】
パイプ保持部材４２は、図２および図４に示すように、ジョイント部材４１の取付け壁部４１ｃに嵌合により取り付けられる外周壁部４２ａと、該外周壁部４２ａの下端から径方向内側に延びると共に、ジョイント部材４１の天壁部４１ｂとの間に流路を区画する底壁部４２ｂと、底壁部４２ｂに形成された孔部４２ｃと、該孔部４２ｃの径方向外側において底壁部４２ｂから垂下し、吸い上げパイプ５０を保持するパイプ保持筒部４２ｄと、を有している。
【００３３】
そして、正倒立両用ユニット４０は、容器Ｃの倒立姿勢では、容器Ｃ内の内容液を、開放部４１ｇ、貫通孔４１ｅ、ジョイント部材４１の天壁部４１ｂとパイプ保持部材４２の底壁部４２ｂの間に区画された流路の順に通過させて、噴出器本体部３０へ供給可能とする一方、容器Ｃの正立姿勢では、弁体４３によって貫通孔４１ｅが閉塞されて、吸い上げパイプ５０から噴出器本体部３０への内容液の供給を可能とするようになっている。
【００３４】
次に、ポンプ３１を作動させて容器Ｃ内の液体をノズル７０まで送出する一連の動作について、正立姿勢を例に説明する。
【００３５】
操作レバー６０を手動で操作し、ポンプ３１に向けて図１中二点鎖線で示すストローク端位置にまで引くと、第１逆止弁３３ｂが閉じ、ピストン３５が区画筒３４ｂ内に押し込まれてポンプ３１内の液圧が高められ、ポンプ３１内の液体が孔３４ｄから第２逆止弁３３ｃを介してノズル７０に送出される。
【００３６】
操作レバー６０の操作が解除されると、板ばね６３の弾性力により操作レバー６０は初期位置に復帰し、その復帰動作に伴って第２逆止弁３３ｃが閉じ、第１逆止弁３３ｂが開いて、容器Ｃ内の液体が吸い上げパイプ５０と第１逆止弁３３ｂとを介して孔３４ｄからポンプ３１内に吸引される。なお、シリンダ筒３４ａには上述の外気導入口３４ｅが設けられており、操作レバー６０がストローク端にまで操作されたときに外気導入口３４ｅが外部に露出する位置に配置されている。この外気導入口３４ｅは、シリンダー筒３４ａの内外を連通させると共に、嵌合壁３２ｅとシリンダー筒３４ａとの間に形成される隙間を介して嵌合壁３２ｅに設けられた孔３２ｆに連通している。外気導入口３４ｅから吸気された空気は、図１に破線矢印で示すように、ポンプ３１のシリンダ筒３４ａと嵌合壁３２ｅとの隙間を通った後、孔３２ｆを通過する。孔３２ｆを通過した空気は、嵌合壁３２ｅと筒部３３ａとの隙間を通過し、更にジョイント部材４１の補助筒部４１ｄと容器Ｃの口部との隙間を通って容器Ｃ内に吸入される。これにより、内容液を噴出した分、容器Ｃ内に空気が置換されるようになっている。
【００３７】
このように、本発明のトリガー式液体噴出器１を容器Ｃの口部に装着し、操作レバー６０の引き操作と解除操作とを繰り返すことにより、ポンプ３１を作動させて容器Ｃ内の液体を、第１逆止弁３３ｂ、及び第２逆止弁３３ｃを通してノズル７０まで送出することができる。
【００３８】
そして、かかる構成になる本実施形態に係るトリガー式液体噴出器１によれば、ジョイント部材４１は、弁体４３によって上方から閉塞可能な貫通孔４１ｅと、該貫通孔４１ｅの上方で弁体４３を上下動可能かつ抜け止め可能に収容する弁体保持壁部４１ｆと、該弁体保持壁部４１ｆに形成された開放部４１ｇとを有し、正倒立両用ユニット４０は、容器Ｃの倒立姿勢では、容器Ｃ内の内容液を、開放部４１ｇ、貫通孔４１ｅ、ジョイント部材４１とパイプ保持部材４２の間に区画された流路の順に通過させて、噴出器本体部３０へ供給可能とする一方、容器Ｃの正立姿勢では、弁体４３によって貫通孔４１ｅが閉塞されて、吸い上げパイプ５０から噴出器本体部３０への内容液の供給を可能とし、開放部４１ｇを通じた弁体４３の挿入により、弁体４３が弁体保持壁部４１ｆに収容されるように構成したので、正倒立両用ユニット４０をジョイント部材４１、パイプ保持部材４２および弁体４３の３部材で構成することができる。したがって、従来必要とされた中間部材を省略することができるため、部品点数を削減することができる。
【００３９】
また、トリガー式液体噴出器１によれば、正倒立両用ユニット４０の組み立てに際しては、開放部４１ｇを通じた弁体４３の挿入により、弁体４３を弁体保持壁部４１ｆに抜け止め可能に収容させることができるため、その後の弁体４３の脱落を防止することができ、組み立てを容易化することができる。
【００４０】
前述したところは、本発明の一実施形態を示したにすぎず、特許請求の範囲において、種々の変更を加えることができる。例えば、前述した実施形態においては、一対の湾曲板部４１ｈの上端縁４１ｈ2を狭窄部４１ｊとして形成し、この一対の湾曲板部４１ｈの上端縁４１ｈ2の相互間における開放部４１ｇを通じて弁体４３を挿入し、弁体４３を弁体保持壁部４１ｆに収容させるものとして説明したが、必ずしもこのような構成に限られるものではなく、例えば、このような弁体４３を挿入可能な狭窄部４１ｊを、一対の湾曲板部４１ｈの前端縁４１ｈ1に形成し、この一対の湾曲板部４１ｈの前端縁４１ｈ1の相互間における開放部４１ｇを通じて弁体４３を挿入し、弁体４３を弁体保持壁部４１ｆに収容させるように構成することもできる。
【００４１】
次に、図５乃至図７を用いて、本発明の第２実施形態に係るトリガー式液体噴出器２について説明する。
【００４２】
図５に示すように、本発明の第２実施形態に係るトリガー式液体噴出器２は、容器Ｃの口部に取り付けられる装着キャップ２０と、装着キャップ２０を回転自在且つ抜け出し不能に保持する噴出器本体部３０と、容器Ｃの正立姿勢および倒立姿勢のいずれにおいても容器Ｃ内の内容液を噴出器本体部３０に供給可能とする正倒立両用ユニット４０と、容器Ｃ内に垂下する吸い上げパイプ５０と、噴出器本体部３０に揺動可能に支持され、噴出器本体部３０が有するポンプ３１を駆動可能な操作レバー（トリガー）６０と、噴出器本体部３０の前部に取付けられ、内容液を外界に向けて噴出させるノズル７０と、噴出器本体部３０の上方および側方を覆うカバー８０とを備えている。
【００４３】
なお、図５に示す本発明の第２実施形態に係るトリガー式液体噴出器２は、正倒立両用ユニット４０におけるジョイント部材４５の一部の形状及び機能が、図１に示す本発明の第１実施形態に係るトリガー式液体噴出器１におけるジョイント部材４１と異なるのみである。従って以下の説明では、本発明の第１実施形態に係るトリガー式液体噴出器１との差異点について記載する。
【００４４】
図５に示すように、吸い上げパイプ５０とインテイク３３の間には、正倒立両用ユニット４０が取付けられている。この正倒立両用ユニット４０は、噴出器本体部３０に取付けられるジョイント部材４５と、該ジョイント部材４５に取付けられて、容器Ｃ内に垂下する吸い上げパイプ５０を保持するパイプ保持部材４２と、球状の弁体４３とを有している。
【００４５】
ジョイント部材４５は、図５及び図６に示すように、噴出器本体部３０のインテイク３３の筒部３３ａに挿入されると共に内部に内容液の流路を区画する挿入筒部４５ａと、該挿入筒部４５ａの下端から径方向外側に延びる天壁部４５ｂと、該天壁部４５ｂの外周縁から垂下する取付け壁部４５ｃと、挿入筒部４５ａの径方向外側において天壁部４５ｂから立ち上がる補助筒部４５ｄとを有している。天壁部４５ｂには、弁体４３によって上方から閉塞可能な貫通孔４５ｅが形成されている。
【００４６】
また、ジョイント部材４５は、貫通孔４５ｅの上方で弁体４３を上下動可能かつ抜け止め可能に収容する弁体保持壁部４５ｆと、該弁体保持壁部４５ｆに形成された開放部４５ｇとを有している。弁体保持壁部４５ｆは、挿入筒部４５ａの外周面から更に弁体４３の方向に突出する突出部４５ａ1と、天壁部４５ｂから上下方向に延び、互いに間隔を空けて対向する一対の湾曲板部４５ｈとによって構成されている。
【００４７】
開放部４５ｇは、本実施形態では、一対の湾曲板部４５ｈの前端縁４５ｈ1の相互間と、一対の湾曲板部４５ｈの上端縁４５ｈ2の相互間と、一対の湾曲板部４５ｈの後端縁４５ｈ3のそれぞれと挿入筒部４５ａから突出する突出部４５ａ1の相互間とに形成されている。また、一対の湾曲板部４５ｈの上端縁４５ｈ2は、図６（ｂ）に示すように一対の湾曲板部４５ｈ相互間の間隔を上方に向って狭めるように湾曲させた狭窄部４５ｊとして形成されている。更に、上端縁４５ｈ2は図６（ａ）に示すようにドーム形状を有しており、狭窄部４５ｊは内側に向かって湾曲している。そして、この狭窄部４５ｊに弁体４３を上方から押付けることで、一対の湾曲板部４５ｈの上端縁４５ｈ2の相互間における開放部４５ｇを通じて弁体４３を挿入し、弁体４３を弁体保持壁部４５ｆに収容させられるようになっている。ここで、弁体４３は自重による移動がスムーズとなるように金属製とし、ジョイント部材４５は合成樹脂製とすることで、一対の湾曲板部４５ｈの上端縁４５ｈ2の弾性変形により弁体４３の挿入を可能とすることが好ましい。
【００４８】
図６（ｂ）及び図６（ｃ）に示す支持部材４５ｐは、ジョイント部材４５をインテイク３３とボディ３２に対して位置決めし、支持するための部材である。
【００４９】
なお、本実施形態において、上端縁４５ｈ2はドーム形状を有するように構成したが、この態様には限定されず、内側に向かって狭めるように湾曲させた狭窄部４５ｊを有していればよい。
【００５０】
正倒立両用ユニット４０は、容器Ｃの正立姿勢では、図７（ａ）に示すように弁体４３によって貫通孔４５ｅが閉塞されて、吸い上げパイプ５０から噴出器本体部３０への内容液の供給を可能とするように構成されている。
【００５１】
次に、容器Ｃを横倒し姿勢にすると、弁体４３が貫通孔４５ｅから離れる方向に移動するため、貫通孔４５ｅが開放される。ここで、貫通孔４５ｅが内容液で完全に満たされていない場合には、貫通孔４５ｅから内容液と共に外気導入口３４ｅからの空気がシリンダー筒３４ａに取り込まれ、エア噛みした状態で内容液が噴出されることになる。
【００５２】
本実施形態では、凹部４５ｉに弁体４３が入り込んで貫通孔４５ｅの近傍で所定の空隙を保って位置決めされる。このため、操作レバー６０が板ばね６３の弾性力により元の位置に戻ることにより貫通孔４５ｅが負圧になると、弁体４３が速やかに移動して貫通孔４５ｅと密着することによりシールされるため、貫通孔４５ｅを通じて外気導入口３４ｅからの空気が流入することが無い。なお、この横倒し姿勢では、内容液は主として吸い上げパイプ５０から供給される。
【００５３】
そして、図７（ｃ）に示すように容器Ｃの口部が斜め下向きになるように傾けると、弁体保持壁部４５ｆ周辺に内容液が確実に供給されるようになる。弁体４３は、上端縁４５ｈ2に向かって移動し、貫通孔４５ｅを通じて内容液が噴出器本体部３０へと供給される。弁体４３は、湾曲板部４５ｈのドーム形状の狭窄部４５ｊを有する上端縁４５ｈ2により動きを規制され、弁体保持壁部４５ｆ内に留まる。従って、この容器Ｃの口部が斜め下向きとなる状態におけるトリガー式液体噴出器２の動作は、倒立状態における動作とほぼ同様となる。
【００５４】
なお、本実施形態において、ジョイント部材４５は、パイプ保持部材４２のパイプ保持筒部４２ｄの中心軸線に関してポンプ３１と対向する位置において、円周方向に所定の間隙を有して設けられ縦方向に延びる２つのリブ４５ｎを備えている。操作レバー６０が板ばね６３の弾性力により元の位置に戻る際にシリンダー筒３４ａ内が負圧となり、容器Ｃ内の内容液がシリンダー筒３４ａ内に充填されると、容器Ｃの内部は負圧となる。このとき、外気導入口３４ｅから吸気された空気は、図５に破線矢印で示すように、ポンプ３１のシリンダ筒３４ａと嵌合壁３２ｅとの隙間を通った後、孔３２ｆを通過する。孔３２ｆを通過した空気は、嵌合壁３２ｅと筒部３３ａとの隙間を介してリブ４５ｎに到達する。空気は、リブ４５ｎの間の間隙４５ｍを下方に向かって進み、容器Ｃ内部に流入する。このように外気導入口３４ｅから導入された空気は、第１実施形態と比較して、より制限された迂回経路を通って容器Ｃに到達するように構成されている。このため、この空気の流入には、より大きな流入抵抗が伴うため、外気導入口３４ｅから導入された空気が直接貫通孔４５ｅを通ってポンプ３１に到達することを確実に防止することができる。
【００５５】
本実施形態に係るトリガー式液体噴出器２によれば、弁体保持壁部４５ｆは、横倒し姿勢において、弁体４３との当接面に弁体４３を貫通孔４５ｅに対して所定の空隙を有して位置決めするための凹部４５ｉを有するように構成した。これにより、横倒し姿勢において貫通孔４５ｅが負圧となった場合に弁体４３が貫通孔４５ｅを速やかにシールするため、外気導入口３４ｅから貫通孔４５ｅへの空気の流入を防止することができる。
【００５６】
また、トリガー式液体噴出器２によれば、一対の湾曲板部４５ｈは湾曲板部の上端縁４５ｈ2において、内側に向かって湾曲させたドーム形状の狭窄部４５ｊを有するため、弁体４３が弁体保持壁部４５ｆから脱落するのを確実に防止することができる。
【００５７】
また、トリガー式液体噴出器２によれば、ジョイント部材４５は、パイプ保持部材４２のパイプ保持筒部４２ｄの中心軸線に関してポンプ３１と対向する位置において、円周方向に所定の間隙を有して設けられ中心軸線方向に延びる複数のリブ４５ｎを備えるように構成した。これにより、外気導入口３４ｅから導入された空気は迂回した経路を通って容器Ｃに到達するため、空気の流入に所定の流入抵抗を伴う。従って、外気導入口３４ｅから導入された空気が直接貫通孔４５ｅを通ってポンプ３１に到達するのを確実に防止することができる。
【符号の説明】
【００５８】
１  トリガー式液体噴出器
２０  装着キャップ
２１  側壁
２１ａ  ねじ部
２２  上部開口
２３  天壁
３０  噴出器本体部
３１  ポンプ
３２  ボディ
３２ａ  連結筒部
３２ｂ  フランジ
３２ｃ  縦筒
３２ｄ  横筒
３２ｅ  嵌合壁
３２ｆ  孔
３３  インテイク
３３ａ  筒部
３３ｂ  第１逆止弁
３３ｃ  第２逆止弁
３３ｄ  孔
３４  シリンダー部材
３４ａ  シリンダー筒
３４ｂ  区画筒
３４ｃ  奥壁
３４ｄ  孔
３４ｅ  外気導入口
３５  ピストン
３５ａ  摺動部
３５ｂ  周壁部
４０  正倒立両用ユニット
４１，４５  ジョイント部材
４１ａ，４５ａ  挿入筒部
４１ａ1  挿入筒部の外周面の一部  ４１ｂ，４５ｂ  天壁部
４１ｃ，４５ｃ  取付け壁部
４１ｄ，４５ｄ  補助筒部
４１ｅ，４５ｅ  貫通孔
４１ｆ，４５ｆ  弁体保持壁部
４１ｇ，４５ｇ  開放部
４１ｈ，４５ｈ  一対の湾曲板部
４１ｈ1，４５ｈ1  一対の湾曲板部の前端縁
４１ｈ2，４５ｈ2  一対の湾曲板部の上端縁
４１ｈ3，４５ｈ3  一対の湾曲板部の後端縁  ４１ｊ、４５ｊ  狭窄部
４２  パイプ保持部材
４２ａ  外周壁部
４２ｂ  底壁部
４２ｃ  孔部
４２ｄ  パイプ保持筒部
４３  弁体
４５ａ1  突出部
４５ｉ  凹部
４５ｍ  間隙
４５ｎ  リブ
４５ｐ  支持部材
５０  吸い上げパイプ
６０  操作レバー
６１  枢軸
６２  ピン部材
６３  板ばね
７０  ノズル
８０  カバー
Ｃ  容器
Ｒ  シリンダー室
【図１】
0006456687.tif 000002
【図２】
0006456687.tif 000003
【図３】
0006456687.tif 000004
【図４】
0006456687.tif 000005
【図５】
0006456687.tif 000006
【図６】
0006456687.tif 000007
【図７】
0006456687.tif 000008